(57)【要約】【課題】ＤＶ線を簡単に引き留められるようしてその作業時間を短縮しかつ作業能率を向上できるようにし、更には、作業上の安全性をも高められるようにしたＤＶ線引留め具を提供する。【解決手段】取付金具Ｔが一側に連結される本体部材１１と該本体部材１１に嵌脱自在に外嵌されるカバー部材１２とからなり、前記本体部材１１は略棒状に成形されると共に該本体部材１１の外周面にその中心軸線方向に沿ってＤＶ線Ｗが嵌り込む程度の凹溝１３を螺旋状に刻設し、前記カバー部材１２は両端面が開放する筒体であって前記本体部材１１にきつく外嵌される大きさを有し、前記凹溝１３に前記ＤＶ線Ｗ１を嵌めた状態で前記カバー部材１２を前記本体部材１１に外嵌することにより前記ＤＶ線Ｗが架設されるようにした構成からなる。【選択図】図３
2007159203.tif 000002
【特許請求の範囲】
【請求項１】
取付金具が一側に連結される本体部材と該本体部材に嵌脱自在に外嵌されるカバー部材とからなり、
前記本体部材は略棒状に成形されると共に該本体部材の外周面にその中心軸線方向に沿ってＤＶ線が嵌り込む程度の凹溝を螺旋状に刻設し、前記カバー部材は両端面が開放する筒体であって前記本体部材にきつく外嵌される大きさを有し、前記凹溝に前記ＤＶ線を嵌めた状態で前記カバー部材を前記本体部材に外嵌することにより前記ＤＶ線が架設されるようにしたことを特徴とするＤＶ線引留め具。
【請求項２】
前記本体部材の外周面に前記凹溝と交差する雄ネジ部を刻設し、前記カバー部材の内周面に前記雄ネジ部に螺合する雌ネジ部を刻設し、前記凹溝に前記ＤＶ線を嵌めた状態で前記雄ネジ部に雌ネジ部を螺締することにより前記カバー部材が前記本体部材にきつく外嵌されるようにした請求項１記載のＤＶ線引留め具。
【請求項３】
前記本体部材の外周面の一側にピンを突設すると共に他側に該ピンから所定の間隔離して鍔部を周設し、前記カバー部材の外周面の一側にその中心軸線と平行をなす縦溝を開設しかつ該中心軸線方向の一側端縁には切欠部を凹設し、前記凹溝に前記ＤＶ線を嵌めた状態で前記ピンを前記縦溝を介して前記切欠部に嵌入させることにより前記カバー部材が前記ピンと鍔部との間に位置して前記本体部材にきつく外嵌されるようにした請求項１記載のＤＶ線引留め具。
【請求項４】
前記カバー部材はその中心軸線を含む面により二等分割されると共に該中心軸線に沿った一方の両側縁がヒンジ部により連結され、他方の両側縁にはそれぞれ閉じて前記本体部材に被せたとき互いに係脱自在に係合する係合部と被係合部を設け、前記凹溝に前記ＤＶ線を嵌めた状態で前記係合部と被係合部を係合させることにより前記カバー部材が前記本体部材にきつく外嵌されるようにした請求項１記載のＤＶ線引留め具。
【発明の詳細な説明】
【技術分野】
【０００１】
本発明は、電柱の低圧電線から分岐して一般の家屋などの建物に架設されるＤＶ線を引留めるためのＤＶ線引留め具に関するものである。
【背景技術】
【０００２】
従来、電柱間に架設される電線から一般の家庭など建物にＤＶ線を引き込む場合、該電柱側からＤＶ線を撚るようにして引き出すと共に該ＤＶ線をＤＶ線引留め具に巻き付け、該ＤＶ線引留め具を取付金具を介して家屋側に取り付けるようにしている。
【０００３】
前記ＤＶ線引留め具は、例えば、碍子本体の中間体の両側にフランジを有する突出輪部を形成し、該中間体の後方に取付金具を取り付ける手段を有する。また、前記中間体の前方に軸を延設し、該軸の前端部両側に該軸より上下に各々突出した一対の双壁体を垂設して各々Ｕ溝を形成し、前記双壁体の全体横幅を前記中間体の両側に形成した突出輪部の横幅より狭い幅に形成した構成からなる。そして、各Ｕ溝の上面或いは下面から順に各１本のＤＶ線が引き出され、後方軸の上面或いは下面を介して相反した対角方向からの各ＤＶ線を後方の突出輪部に巻き付ける。更に、前記各ＤＶ線をバインド線により各フランジと共に結束するようにしている（例えば、特許文献１参照。）。
【特許文献１】実開平７−２７０２４号公報（第６−８頁、図１乃至図３）
【発明の開示】
【発明が解決しようとする課題】
【０００４】
前記特許文献１の電線引留め具では、碍子に２本のＤＶ線を複数回交互に巻回し、更に各ＤＶ線をバインド線で結束するといった煩雑な手間を要することから多くの時間も掛かり、極めて作業性が悪いといった課題がある。また、高所での作業となると、その分転落して怪我をするといった危険性も高まる。
【０００５】
そこで、本発明は上記課題を解決すべくなされたもので、ＤＶ線を簡単に引き留められるようしてその作業時間を短縮しかつ作業能率を向上できるようにし、更には、作業上の安全性をも高められるようにしたＤＶ線引留め具を提供することを目的とするものである。
【課題を解決するための手段】
【０００６】
かかる目的を達成するため本発明に係るＤＶ線引留め具は、取付金具が一側に連結される本体部材と該本体部材に嵌脱自在に外嵌されるカバー部材とからなり、前記本体部材は略棒状に成形されると共に該本体部材の外周面にその中心軸線方向に沿ってＤＶ線が嵌り込む程度の凹溝を螺旋状に刻設し、前記カバー部材は両端面が開放する筒体であって前記本体部材にきつく外嵌される大きさを有し、前記凹溝に前記ＤＶ線を嵌めた状態で前記カバー部材を前記本体部材に外嵌することにより前記ＤＶ線が架設されるようにした構成からなる。
【０００７】
具体的には、ＤＶ線引留め具は、例えば本体部材の外周面に前記凹溝と交差する雄ネジ部を刻設し、カバー部材の内周面に雄ネジ部に螺合する雌ネジ部を刻設し、凹溝にＤＶ線を嵌めた状態で雄ネジ部に雌ネジ部を螺締することによりカバー部材が本体部材にきつく外嵌されるようにした構成が採られる。
【０００８】
また、ＤＶ線引留め具は、例えば本体部材の外周面の一側にピンを突設すると共に他側に該ピンから所定の間隔離して鍔部を周設し、カバー部材の外周面の一側にその中心軸線と平行をなす縦溝を開設しかつ該中心軸線方向の一側端縁には切欠部を凹設し、凹溝にＤＶ線を嵌めた状態で前記ピンを前記縦溝を介して切欠部に嵌入させることによりカバー部材がピンと鍔部との間に位置して本体部材にきつく外嵌されるようにした構成が採られる。
【０００９】
更に、ＤＶ線引留め具は、例えばカバー部材がその中心軸線を含む面により二等分割されると共に該中心軸線に沿った一方の両側縁がヒンジ部により連結され、他方の両側縁にはそれぞれ本体部材に被せたとき互いに係脱自在に係合する係合部と被係合部を設け、凹溝にＤＶ線を嵌めた状態で係合部と被係合部を係合させることによりカバー部材が本体部材にきつく外嵌されるようにした構成が採られる。
【発明の効果】
【００１０】
本発明に係るＤＶ線引留め具は、取付金具が一側に連結される本体部材と該本体部材に嵌脱自在に外嵌されるカバー部材とからなり、本体部材は略棒状に成形されると共に該本体部材の外周面にその中心軸線方向に沿ってＤＶ線が嵌り込む程度の凹溝を螺旋状に刻設し、カバー部材は両端面が開放する筒体であって本体部材にきつく外嵌される大きさを有する構成からなり、前記凹溝にＤＶ線を嵌めた状態でカバー部材を本体部材に外嵌するのみでＤＶ線が架設される。このように、ＤＶ線が簡単に引き留められることから、その作業時間が短縮され作業能率を向上することができる。更には、高所での作業時間が短縮できることから、作業上の安全性も高められるという効果がある。
【発明を実施するための最良の形態】
【００１１】
以下、本発明に係るＤＶ線引留め具の実施の形態を図面に基づき詳しく説明する。本発明にあっては三個の実施の形態があり、図１乃至図７は第一実施の形態、図８乃至図１４は第二実施の形態、図１５乃至図２１は第三実施の形態に係るＤＶ線引留め具をそれぞれ示すものである。
【００１２】
まず、第一実施の形態に係るＤＶ線引留め具について説明する。図１は取付金具を装着した第一実施の形態に係るＤＶ線引留め具の斜視図、図２は同分解斜視図である。第一実施の形態に係るＤＶ線引留め具Ａ１は、後記するＤＶ線Ｗを保持固定して引き留めるための本体部材１１と該本体部材１１の外周面に外嵌するカバー部材１２とからなる。本体部材１１として、例えばガラス繊維入りのナイロン樹脂又は同じくガラス繊維入りのＰＥＴ樹脂、セラミック製が選択されるが、第一実施の形態にあってはセラミックス製のものが使用される。また、カバー部材１２としては、例えばガラス繊維入りのナイロン樹脂又は同じくガラス繊維入りのＰＥＴ樹脂が選択される。
【００１３】
本体部材１１は、例えば長さが約１５ｃｍ、太さが約２．５ｃｍの棒状に成形され、中央部を除いた両端側の外周面はそれぞれ漸次先窄まりとなるようにテーパー面１１ａに成形される。また、本体部材１１の外周面に対向位置してそれぞれその中心軸線方向に沿って緩やかに曲る螺旋状の凹溝１３が一対刻設されている。各凹溝１３は本体部材１１の両端面にまで達しており、その溝幅は一本のＤＶ線が嵌り込む程度であって深さはＤＶ線の外径より小さく設定されている。本体部材１１の中央部であってその外周面の一側（後側）に環状の鍔部１４が周設されると共にその中央部には雄ネジ部１５が刻設されている。前記各凹溝１３はこの雄ネジ部１５を横断するように設けられる。また、本体部材１１の一側端部（後側端部）には、取付金具Ｔを挿通して装着するための楕円状の取付孔１６が開設されている。
【００１４】
前記カバー部材１２は、両端面が開放した略円筒状に成形され、前記本体部材１１にきつく外嵌される大きさを有する。そして、内周面の一側（後側）に前記雄ネジ部１５に螺合する雌ネジ部１７が刻設され、それに対応するカバー部材１２の外周面は多角面１８（ここでは、断面六角形）に成形されている。これは、手で握ったとき滑りにくくして操作し易くするためである。また、カバー部材１２の他側（前側）は、前記本体部材１１前側のテーパー面１１ａに合わせて先端（前端）に向かって先窄まりとなるテーパー面１２ａが成形される。
【００１５】
第一実施の形態に係るＤＶ線引留め具Ａ１は上記構成からなり、次にその使用方法について説明する。図７において、４０は地面に建柱された電柱、４１は建物としての一般の家屋である。電柱４０には低圧電線４２が架設され、該低圧電線４２から分岐してＤＶ線Ｗが家屋４１側へ引き込まれる。このＤＶ線Ｗは例えば３本の電線Ｗ１〜Ｗ３をより合わせてなる。
【００１６】
そして、まず、図３に示すように本体部材１１の後端部の取付孔１６に取付金具Ｔを挿通する。また、２本のＤＶ線Ｗ１，Ｗ２をカバー部材１２にその前側から挿通する。次に、該各ＤＶ線Ｗ１，Ｗ２をそれぞれ本体部材１１の外周面に設けられた各凹溝１３に沿わせて嵌め込む。更に、この状態で図４に示すように本体部材１１にその前端側からカバー部材１２を嵌めると共に多角面１８を握ってカバー部材１２を回転させ雄ネジ部１５に雌ネジ部１７を螺合させて締め付ける。カバー部材１２はその後端面１２ｂが鍔部１４に当接することにより停止する。
【００１７】
これにより、両ＤＶ線Ｗ１，Ｗ２が各凹溝１３に嵌り込んだ状態できつく締め付けられる。また、各凹溝１３が螺旋状に設けられていることから、図６に示すように該各凹溝１３に嵌りこんだＤＶ線Ｗ１，Ｗ２は緩んで抜けるようなことはなく、しっかりと固定される。そして、取付金具Ｔを家屋４１の軒先に固着したフック４３に係止して図５、図７に示すように電柱４０と家屋４１間にＤＶ線Ｗが架設される。なお、前記３本のＤＶ線Ｗ１，Ｗ２，Ｗ３は、家屋４１側の積算電力量計４４に接続される。この内、１本のＤＶ線Ｗ３は、ＤＶ線引留め具Ａ１に引き留めず張力も掛けないで家屋側へ引き込まれる。
【００１８】
次に、第二・第三実施の形態に係るＤＶ線留め具について順に説明するが、いずれも第一実施の形態に係る部位と同一部位は同一番号を付すことにより詳しい説明は省略する。まず、第二実施の形態に係るＤＶ線引留め具について説明する。図８は取付金具を装着した第二実施の形態に係るＤＶ線引留め具の斜視図、図９は同分解斜視図である。第二実施の形態に係るＤＶ線引留め具Ａ２は、ＤＶ線Ｗを保持固定して引き留めるための本体部材２１と該本体部材２１の外周面に外嵌するカバー部材２２とからなる。本体部材２１として、例えばガラス繊維入りのナイロン樹脂又は同じくガラス繊維入りのＰＥＴ樹脂、セラミックス製が選択されるが、第二実施の形態にあってはセラミックス製のものが使用される。また、カバー部材２２としては、例えばガラス繊維入りのナイロン樹脂又は同じくガラス繊維入りのＰＥＴ樹脂が選択される。
【００１９】
本体部材２１は、例えば長さが約１５ｃｍ、太さが約２．５ｃｍの棒状に成形され、中央部を除いた両端側の外周面はそれぞれ漸次先窄まりとなるようにテーパー面２１ａに成形される。これは、ＤＶ線には流す電流によって太さの異なるものが数種類あるが、これらのＤＶ線の太さに対応できるようにするためである。例えば、太いＤＶ線の場合はカバー部材１２が雄ネジ部１５に浅く螺合して止まり、細いＤＶ線の場合はカバー部材１２が雄ネジ部１５に深く螺合して止まる。また、本体部材２１の外周面に対向位置してそれぞれその中心軸線方向に沿って緩やかに曲る螺旋状の凹溝２３が一対刻設されている。各凹溝２３は本体部材２１の両端面にまで達しており、その溝幅は一本のＤＶ線が嵌り込む程度であって深さはＤＶ線の外径より小さく設定されている。本体部材２１の中央部であってその外周面の一側（後側）にピン２４が突設され、該ピン２４から所定の間隔離して他側（前側）に環状の鍔部２５が周設されている。また、本体部材２１の一側端部（後側端部）には、取付金具Ｔを挿通して装着するための楕円状の取付孔１６が開設されている。
【００２０】
前記カバー部材２２は、両端面が開放した略円筒状に成形され、前記本体部材２１にきつく外嵌される大きさを有する。また、前記ピン２４と鍔部２５との間隔とほぼ同じ長さを有する。そして、前記カバー部材２２の外周面の一側にその中心軸線と平行をなす直線状の縦溝２６が開設される。また、該中心軸線方向の一側端縁には切欠部２７が凹設されている。カバー部材２２の外周面全体には、その中心軸線に対し直交する面内に含まれるようにして複数の環状リブ２８が周設されている。これはカバー部材２２が手で握り易くしかも滑りにくくして作業を行い易くするためである。
【００２１】
第二実施の形態に係るＤＶ線引留め具Ａ２は上記構成からなり、次にその使用方法について説明する。図１４において４０は地面に建柱された電柱、４１は建物としての一般の家屋である。電柱４０には低圧電線４２が架設され、該低圧電線４２から分岐してＤＶ線Ｗが家屋４１側へ引き込まれる。このＤＶ線Ｗは例えば３本の電線Ｗ１〜Ｗ３をより合わせてなる。
【００２２】
そして、まず、図１０に示すように本体部材２１の後端部の取付孔１６に取付金具Ｔを挿通する。また、２本のＤＶ線Ｗ１，Ｗ２をそれぞれ本体部材２１の外周面に設けられた各凹溝２３に沿わせて嵌め込む。更に、この状態で本体部材２１にその一端側（後端側）からカバー部材２２を嵌めると共に図１１に示すように前記ピン２４を前記縦溝２６に介入させてカバー部材２２をその一端縁（前端縁）が鍔部２５に当接するまで押し込む。当接した後は、カバー部材２２をその中心軸線に対して直交する面内で切欠部２７がピン２４に対応位置するまで回転させ、対応位置した状態でカバー部材２２を本体部材２１の後端部側へ摺動させて切欠部２７をピン２４に嵌める。
【００２３】
これにより、カバー部材２２が前記ピン２４と鍔部２５との間に位置して本体部材２１にきつく外嵌される。また、各凹溝２３が螺旋状に設けられていることから、図１３に示すように該各凹溝２３に嵌りこんだＤＶ線Ｗ１，Ｗ２が緩んで抜けるようなことはなく、しっかりと固定される。そして、取付金具Ｔを家屋４１の軒先に固着したフック４３に係止して図１２、図１４に示すように電柱４０と家屋４１間にＤＶ線Ｗが架設される。なお、前記３本のＤＶ線Ｗ１，Ｗ２，Ｗ３は、家屋４１側の積算電力量計４４に接続される。この内、１本のＤＶ線Ｗ３は、ＤＶ線引留め具Ａ１に引き留めず張力も掛けないで家屋側へ引き込まれる。前記カバー部材２２は切欠部２７がピン２４に嵌められているので、無用に回転してＤＶ線Ｗ１，Ｗ２がＤＶ線引留め具Ａ２から外れるといったこともなく安定している。
【００２４】
最後に、第三実施の形態に係るＤＶ線引留め具について説明する。図１５は取付金具を装着した第三実施の形態に係るＤＶ線引留め具の斜視図、図１６は同分解斜視図である。第三実施の形態に係るＤＶ線引留め具Ａ３は、ＤＶ線Ｗを保持固定するための本体部材３１と該本体部材３１の外周面に外嵌するカバー部材３２とからなる。本体部材３１として、例えばガラス繊維入りのナイロン樹脂又は同じくガラス繊維入りのＰＥＴ樹脂、セラミックス製が選択されるが、第三実施の形態にあってはセラミックス製のものが使用される。また、カバー部材３２としては、例えばガラス繊維入りのナイロン樹脂又は同じくガラス繊維入りのＰＥＴ樹脂が選択される。
【００２５】
本体部材３１は、例えば長さが約１５ｃｍ、太さが約２．５ｃｍの棒状に成形され、中央部を除いた両端側の外周面はそれぞれ漸次先窄まりとなるようにテーパー面３１ａに成形される。また、本体部材３１の外周面に対向位置してそれぞれその中心軸線方向に沿って緩やかに曲る螺旋状の凹溝３３が一対刻設されている。各凹溝３３は本体部材３１の両端面にまで達しており、その溝幅は一本のＤＶ線が嵌り込む程度であって深さはＤＶ線の外径より小さく設定されている。本体部材３１の中央部であってその両側（前・後側）に所定の間隔離してそれぞれ環状の鍔部３４，３４が周設される。この鍔部３４，３４間にカバー部材３２が嵌って位置する。また、本体部材３１の一側端部（後側端部）には、取付金具Ｔを挿通して装着するための楕円状の取付孔１６が開設されている。
【００２６】
前記カバー部材３２は、両端面が開放した略円筒状をなすと共にその中心軸線を含む面により二等分割された一対の半裁体３２ａ，３２ｂからなり、前記本体部材３１にきつく外嵌される大きさを有する。そして、該中心軸線に沿った各半裁体３２ａ，３２ｂの一方の両側縁が軸ピン３５を支点とするヒンジ部３６により連結される。また、他方の両側縁の外側面には前後に位置してそれぞれ前記本体部材３１に被せたとき、互いに係脱自在に係合する係合部としての爪部３７，３７と、被係合部としての係合凹部３８，３８とがそれぞれ設けられている。各係合凹部３８は半裁体３２ｂの他方の側縁から円周方向へ延設される突片３９の内側に設けられ鋸歯状に成形される。また、突片３９は僅かに弾力性が付与されている。
【００２７】
第三実施の形態に係るＤＶ線引留め具Ａ３は上記構成からなり、次にその使用方法について説明する。図２１において４０は地面に建柱された電柱、４１は建物としての一般の家屋である。電柱４０には低圧電線４２が架設され、該低圧電線４２から分岐してＤＶ線Ｗが家屋４１側へ引き込まれる。このＤＶ線Ｗは例えば３本の電線Ｗ１〜Ｗ３をより合わせてなる。
【００２８】
そして、まず、図１７に示すように本体部材３１の後端部の取付孔１６に取付金具Ｔを挿通する。また、２本のＤＶ線Ｗ１，Ｗ２をそれぞれ本体部材３１の外周面に設けられた各凹溝３３に沿わせて嵌め込む。この状態で、図１８に示すように開いた一方の半裁体３２ａを本体部材３１の外周面であって両鍔部３４，３４間に当てる。更に、図２０矢視方向に示すように両ＤＶ線Ｗ１，Ｗ２を包むようにして他方の半裁体３２ｂを被せ、一方の半裁体３２ａの開放側の一側縁に他方の半裁体３２ｂの開放側の一側縁を当接させるようにして締め込む。
【００２９】
これにより、前記各爪部３７が鋸歯状の係合凹部３８に係合し、両ＤＶ線Ｗ１，Ｗ２が各凹溝３３に嵌り込んだ状態できつく締め付けられる。また、各凹溝３３が螺旋状に設けられていることから、図２０に示すように該各凹溝３３に嵌り込んだＤＶ線Ｗ１，Ｗ２は緩んで抜けるようなことはなく、しっかりと固定される。前記爪部３７は鋸歯状に複数個設けられているので、前記のような外径の異なる複数種類のＤＶ線にも十分対応できる。そして、取付金具Ｔを家屋４１の軒先に固着したフック４３に係止して図１９，図２１に示すように電柱４０と家屋４１間にＤＶ線Ｗが架設される。なお、３本のＤＶ線Ｗ１，Ｗ２，Ｗ３は、家屋４１側の積算電力量計４４に接続される。この内、１本のＤＶ線Ｗ３は、ＤＶ線引留め具Ａ１に引き留めず張力も掛けないで家屋側へ引き込まれる。
【００３０】
このように第１乃至第３実施の形態に係るＤＶ線引留め具Ａ１乃至Ａ３は、各凹溝１３，２３，３３にＤＶ線Ｗ１，Ｗ２を嵌めた状態で、カバー部材１２，２２，３２を本体部材１１，２１，３１に外嵌するのみで前記ＤＶ線Ｗ１，Ｗ２が架設される。このように、ＤＶ線Ｗ１，Ｗ２が簡単に引き留められることから、その作業時間が短縮され作業能率を向上することができ、更には、高所での作業時間が短縮できることから、安全性も高められる。
【図面の簡単な説明】
【００３１】
【図１】取付金具を装着した第一実施の形態に係るＤＶ線引留め具の斜視図。
【図２】同分解斜視図。
【図３】第一実施の形態に係るＤＶ線引留め具の使用状態を示す斜視図。
【図４】第一実施の形態に係るＤＶ線引留め具の使用状態を示す斜視図。
【図５】第一実施の形態に係るＤＶ線引留め具の使用状態を示す斜視図。
【図６】図５のＸ−Ｘ線断面図。
【図７】電柱と家屋間にＤＶ線を架設した状態を示す説明図。
【図８】取付金具を装着した第二実施の形態に係るＤＶ線引留め具の斜視図。
【図９】同分解斜視図。
【図１０】第二実施の形態に係るＤＶ線引留め具の使用状態を示す斜視図。
【図１１】第二実施の形態に係るＤＶ線引留め具の使用状態を示す斜視図。
【図１２】第二実施の形態に係るＤＶ線引留め具の使用状態を示す斜視図。
【図１３】図１２のＹ−Ｙ線断面図。
【図１４】電柱と家屋間にＤＶ線を架設した状態を示す説明図。
【図１５】取付金具を装着した第三実施の形態に係るＤＶ線引留め具の斜視図。
【図１６】同分解斜視図。
【図１７】第三実施の形態に係るＤＶ線引留め具の使用状態を示す斜視図。
【図１８】第三実施の形態に係るＤＶ線引留め具の使用状態を示す斜視図。
【図１９】第三実施の形態に係るＤＶ線引留め具の使用状態を示す斜視図。
【図２０】図１９のＺ−Ｚ線断面図。
【図２１】電柱と家屋間にＤＶ線を架設した状態を示す説明図。
【符号の説明】
【００３２】
１１                本体部材
１２                カバー部材
１３                凹溝
１５                雄ネジ部
１７                雌ネジ部
２１                本体部材
２２                カバー部材
２３                凹溝
２４                ピン
２５                鍔部
２６                縦溝
２７                切欠部
３１                本体部材
３２                カバー部材
３３                凹溝
３６                ヒンジ部
３７                係合部（爪部）
３８                被係合部（係合凹部）
Ａ１                ＤＶ線引留め具
Ａ２                ＤＶ線引留め具
Ａ３                ＤＶ線引留め具
Ｗ（Ｗ１〜Ｗ３）    ＤＶ線
Ｔ                  取付金具
【図１】
2007159203.tif 000003
【図２】
2007159203.tif 000004
【図３】
2007159203.tif 000005
【図４】
2007159203.tif 000006
【図５】
2007159203.tif 000007
【図６】
2007159203.tif 000008
【図７】
2007159203.tif 000009
【図８】
2007159203.tif 000010
【図９】
2007159203.tif 000011
【図１０】
2007159203.tif 000012
【図１１】
2007159203.tif 000013
【図１２】
2007159203.tif 000014
【図１３】
2007159203.tif 000015
【図１４】
2007159203.tif 000016
【図１５】
2007159203.tif 000017
【図１６】
2007159203.tif 000018
【図１７】
2007159203.tif 000019
【図１８】
2007159203.tif 000020
【図１９】
2007159203.tif 000021
【図２０】
2007159203.tif 000022
【図２１】
2007159203.tif 000023